(57)【要約】所望のストローク位置に固定可能なピストン・シリンダユニットは、両端が閉鎖され、内部に加圧流体が充填されたシリンダ１を備え、このシリンダ１の内壁に対してシールされたピストン2, 2’がシリンダ１内で変位可能にガイドされ、このピストン2, 2’がシリンダの内部を第１作動室3, 3’と第２作動室4, 4’とに分割し、ピストン2, 2’に配置されたピストンロッド5, 5’を備え、ピストンロッド5, 5’が、作動室の一方3’, 4と、シリンダ１の一端を閉鎖するガイド・シールユニット６とを貫通してシリンダ１から突出している。【選択図】図１
2016508584.tif 000002
【特許請求の範囲】
【請求項１】
所望のストローク位置で固定可能なピストン・シリンダユニットであって、
両端が閉鎖され、内部に加圧流体が充填されたシリンダ（１）を備え、該シリンダ（１）の内壁に対してシールされたピストン（2, 2’）が前記シリンダ（１）内で変位可能にガイドされ、該ピストン（2, 2’）が前記シリンダの内部を第１作動室（3, 3’）と第２作動室（4, 4’）とに分割し、
前記ピストン（2, 2’）に配置されたピストンロッド（5, 5’）を備え、該ピストンロッド（5, 5’）が、前記作動室の一方（3’, 4）と、前記シリンダ（１）の一端を閉鎖するガイド・シールユニット（６）とを貫通して前記シリンダ（１）から突出し、
軸線方向に変位可能に配置された作動ロッド（13）を備え、該作動ロッド（13）の一端が前記シリンダ（１）から突出すると共に、前記作動ロッド（13）の差し込み方向に向けて変位するよう作動要素により負荷可能であり、前記作動ロッド（13）の他端により、前記第１作動室（3, 3’）内の圧力で閉鎖方向に向けて負荷された固定バルブ（８）のバルブスライダ（10）を、閉鎖位置及び開放位置の間で調整ストローク（20）に亘って軸線方向に変位するよう負荷可能であり、これにより接続部を介して前記第１作動室（3, 3’）が前記第２作動室（4, 4’）に連通可能であり、
更に、前記作動要素は、作動位置及び非作動位置の間で移動可能であると共に、該非作動位置ではストッパ（16）に当接するピストン・シリンダユニットにおいて、
前記バルブスライダ（10）は、その閉鎖位置で、前記第１作動室（3, 3’）内における閉鎖方向への圧力により、固定ストッパに当接することなく負荷され、前記作動ロッド（13）を介して前記作動要素に恒久的に支持されていることを特徴とするピストン・シリンダユニット。
【請求項２】
請求項１に記載のピストン・シリンダユニットであって、
前記バルブスライダ（10）は、バルブ装置（７）内で前記シリンダ（１）に対して同軸状に延在する通過開口（９）内にて変位可能に配置され、第１大径領域（12）及び第２大径領域（12’）の間に小径領域（11）を有し、該小径領域（11）には、前記バルブ装置（７）内で半径方向に形成された接続開口（21）が達して前記小径領域（11）を前記第２作動室（4，4’）と連通させ、
前記第１作動室（3，3’）に対してより離れた前記バルブスライダ（10）の前記第１大径領域（12）は、前記通過開口（９）内を第１シールによってシールされた状態で変位可能にガイドされ、前記第１作動室（3，3’）に対してより近接した前記バルブスライダ（10）の前記第２大径領域（12’）は、前記通過開口（９）内を第２シールによってシールされた状態で変位可能にガイドされ、その閉鎖位置では一部が前記第１作動室（3，3’）内に突出し、開放位置では少なくともほぼ完全に前記第１作動室（3，3’）内に突出していることを特徴とするピストン・シリンダユニット。
【請求項３】
請求項２に記載のピストン・シリンダユニットであって、前記第１シール及び／又は前記第２シールは、前記バルブ装置（７）に配置され、前記バルブスライダ（10）を密に包囲するシールリング（18，19）であることを特徴とするピストン・シリンダユニット。
【請求項４】
請求項２又は３に記載のピストン・シリンダユニットであって、ピストン（２）は、前記バルブ装置（７）を構成し、作動ロッド（13）は、ピストンロッド（５）における同軸状の通過孔（24）内に亘って変位可能にガイドされていることを特徴とするピストン・シリンダユニット。
【請求項５】
請求項４に記載のピストン・シリンダユニットであって、外方に自由に突出する前記ピストンロッド（５）端には、作動要素を含む作動装置が配置されていることを特徴とするピストン・シリンダユニット。
【請求項６】
請求項２又は３に記載のピストン・シリンダユニットであって、前記バルブ装置（７）は、ピストンロッド（5’）とは反対側の前記シリンダ（１）の端部を閉鎖するように堅固に配置されていることを特徴とするピストン・シリンダユニット。
【請求項７】
請求項６に記載のピストン・シリンダユニットであって、ピストン（2’）とは反対側の前記バルブ装置（７）には、前記ピストンロッド（5’）が変位可能にガイドされた同軸状の通過孔（24）を含むガイド要素（25）が配置されていることを特徴とするピストン・シリンダユニット。
【請求項８】
請求項７に記載のピストン・シリンダユニットであって、外方に自由に突出する前記ガイド要素（25）には、作動要素を含む作動装置が配置されていることを特徴とするピストン・シリンダユニット。
【請求項９】
請求項１〜８の何れか一項に記載のピストン・シリンダユニットであって、前記作動要素は、前記作動ロッド（13）の長手方向軸線に直交する旋回軸線（15）周りに旋回可能な旋回レバー（14）として構成され、前記作動ロッド（13）が前記旋回軸線（15）に対して距離を置いた状態で前記旋回レバー（14）に当接していることを特徴とするピストン・シリンダユニット。
【請求項１０】
請求項８に記載のピストン・シリンダユニットであって、前記作動ロッド（13）は、バルブスライダ（10）とは反対側の端面で前記旋回レバー（14）に当接していることを特徴とするピストン・シリンダユニット。
【請求項１１】
請求項１に記載のピストン・シリンダユニットであって、前記バルブスライダ（10）は、前記シリンダ（１）に間接的又は直接的に結合された部材で支持かつ付勢されたばね要素により開放方向に負荷され、前記ばね要素による付勢力は、前記バルブスライダ（10）に作用する前記第１作動室（3，3’）内の圧力による閉鎖力に比べてより小さいことを特徴とするピストン・シリンダユニット。
【請求項１２】
請求項１１に記載のピストン・シリンダユニットであって、前記バルブスライダ（10）は、前記シリンダ（１）から軸線方向に突出する前記作動ロッド（13）により、閉鎖位置から開放位置に移動するように負荷可能であることを特徴とするピストン・シリンダユニット。
【請求項１３】
請求項１１又は１２に記載のピストン・シリンダユニットであって、前記ばね要素は、間隔を置いた状態で前記バルブスライダ（10）又は前記作動ロッド（13）を包囲する圧縮コイルばね（40）であり、その一端は、前記シリンダ（１）に堅固に結合された部材により支持され、他端は、前記バルブスライダ（10）又は前記作動ロッド（13）を負荷することを特徴とするピストン・シリンダユニット。
【請求項１４】
請求項１１又は１２に記載のピストン・シリンダユニットであって、前記シリンダ（１）から突出する前記バルブスライダ（10）又は前記作動ロッド（13）の端面は、前記シリンダ（１）の長手方向軸線（34）に直交する旋回軸線（15）周りに旋回可能かつ前記シリンダ（１）に堅固に結合されると共に、前記ばね要素で負荷された２アーム状の旋回レバー（14）の第１アーム（35）により負荷可能であり、前記旋回レバー（14）の第２アームは、バルブ作動力により負荷可能であることを特徴とするピストン・シリンダユニット。
【請求項１５】
請求項１１〜１４の何れか一項に記載のピストン・シリンダユニットであって、バルブは、シートバルブとして構成された固定バルブ（８）であることを特徴とするピストン・シリンダユニット。
【請求項１６】
請求項１１〜１４の何れか一項に記載のピストン・シリンダユニットであって、前記バルブは、スライドバルブであることを特徴とするピストン・シリンダユニット。
【請求項１７】
請求項１１〜１６の何れか一項に記載のピストン・シリンダユニットであって、前記バルブは、前記シリンダ（１）を端部領域で閉鎖するバルブ装置（７）に配置されていることを特徴とするピストン・シリンダユニット。
【請求項１８】
請求項１１〜１６に記載のピストン・シリンダユニットであって、前記バルブは、ピストンに配置されていることを特徴とするピストン・シリンダユニット。
【発明の詳細な説明】
【技術分野】
【０００１】
本発明は、所望のストローク位置で固定可能なピストン・シリンダユニットに関する。本発明のピストン・シリンダユニットは、両端が閉鎖され、内部に加圧流体が充填されたシリンダを備え、該シリンダの内壁に対してシールされたピストンがシリンダ内で変位可能にガイドされ、このピストンがシリンダの内部を第１作動室と第２作動室とに分割し、ピストンに配置されたピストンロッドを備え、このピストンロッドが、作動室の一方と、シリンダの一端を閉鎖するガイド・シールユニットとを貫通してシリンダから突出し、軸線方向に変位可能に配置された作動ロッドを備え、作動ロッドの一端がシリンダから突出すると共に、作動ロッドの差し込み方向に向けて変位するよう作動要素により負荷可能であり、作動ロッドの他端により、第１作動室内の圧力で閉鎖方向に向けて負荷された固定バルブのバルブスライダを、閉鎖位置及び開放位置の間で調整ストロークに亘って軸線方向に変位するよう負荷可能であり、これにより接続部を介して第１作動室が第２作動室に連通可能であり、更に、作動要素は、作動位置及び非作動位置の間で移動可能であると共に、非作動位置ではストッパに当接する。
【背景技術】
【０００２】
このような固定可能なピストン・シリンダユニットにおいては、製造公差上の理由により、作動要素が非作動位置にある場合には、作動要素及び作動ロッド間で遊びが生じる。従って、用途によっては、これら部品が互いに衝突することで騒音が発生する。
【０００３】
この騒音を回避するために、ばね力により作動要素を作動ロッド方向に負荷し、これにより作動ロッドに恒久的に当接させておくことが既知である。
【発明の概要】
【発明が解決しようとする課題】
【０００４】
上記構成とした場合、コストがかかるだけでなく、付加的な部品及び付加的な取り付け作業が必要になる。
【０００５】
従って、本発明の課題は、簡単かつ容易に組み立て可能な構成を有し、これにより作動要素及び作動ロッド間の衝突による騒音を回避可能とした、冒頭に述べた形式のピストン・シリンダユニットを提供することである。
【課題を解決するための手段】
【０００６】
この課題は、バルブスライダが、その閉鎖位置で、第１作動室内における閉鎖方向への圧力により固定ストッパに当接することなく負荷され、作動ロッドを介して、作動要素に恒久的に支持されることで解決される。
【０００７】
このように構成すれば、作動要素及び作動ロッドを互いに当接させるための付加的なばね要素が不要である。即ち、閉鎖部材を負荷するためにシリンダ内に充填される圧力が利用されるにすぎない。従って、ピストン・シリンダユニットの小型化も図ることが可能になる。
【０００８】
簡略化された実施形態において、バルブスライダは、バルブ装置内でシリンダに対して同軸状に延在する通過開口内にて変位可能に配置されると共に、第１大径領域及び第２大径領域の間に小径領域を有し、この小径領域には、バルブ装置内で半径方向に形成された接続開口が達して小径領域を第２作動室と連通させ、また、第１作動室に対してより離れたバルブスライダの第１大径領域は、通過開口内を第１シールによってシールされた状態で変位可能にガイドされ、第１作動室に対してより近接したバルブスライダの第２大径領域は、通過開口内を第２シールによってシールされた状態で変位可能にガイドされ、その閉鎖位置では一部が第１作動室内に突出し、開放位置では少なくともほぼ完全に第１作動室内に突出する。
【０００９】
この場合、バルブスライダの閉鎖位置及び開放位置の間の調整ストロークは、軸線方向における付勢路内に定められる。ピストン・シリンダユニットの組み立てにおいては、作動ロッドをバルブスライダに当接させておき、作動要素の取り付けにおいては、作動ロッド及びバルブスライダをシリンダ内の圧力に抗して付勢路内で開放方向に向けて変位させるが、その際に開放位置まで到達させることはない。この位置において、作動要素は、非作動位置にあり、この非作動位置を規定するストッパに当接する。この位置においては更に、シリンダ内の圧力によりバルブスライダが負荷され、作動ロッド及び作動要素を介して上記ストッパに支持される。
【００１０】
簡略化された実施形態において、第１シール及び／又は第２シールは、バルブ装置に配置され、かつバルブスライダを密に包囲するシールリングとして構成することができる。
【００１１】
一実施形態において、ピストンはバルブ装置を構成し、作動ロッドはピストンロッドにおける同軸状の通過孔内に亘って変位可能にガイドされる。
【００１２】
この場合、外方に自由に突出するピストンロッド端には、作動要素を含む作動装置が配置可能である。
【００１３】
他の実施形態において、バルブ装置は、ピストンロッドとは反対側のシリンダの端部を閉鎖するように堅固に配置される。
【００１４】
この場合、ピストンとは反対側のバルブ装置には、ピストンロッドが変位可能にガイドされた同軸状の通過孔を含むガイド要素が配置可能である。
【００１５】
簡略化された実施形態において、作動要素は、作動ロッドの長手方向軸線に直交する旋回軸線周りに旋回可能な旋回レバーとして構成され、作動ロッドが旋回軸線に対して距離を置いた状態で旋回レバーに当接している。
【００１６】
この場合、作動ロッドは、バルブスライダとは反対側の端面で旋回レバーに当接させることができる。
【００１７】
バルブスライダは、シリンダに間接的又は直接的に結合された部材で支持かつ付勢されたばね要素により開放方向に負荷することができる。このばね要素による付勢力は、バルブスライダに作用する第１作動室内の圧力による閉鎖力に比べてより小さい。
【００１８】
このような構成とすれば、ピストンを変位させるために必要な力は、バルブスライダを負荷する閉鎖力とこの閉鎖力に対抗するバルブスライダへのばね要素による作用力との間の差力に比べて、僅かに大きいにすぎない。この差力は極めて僅かでもよいが、バルブスライダを固定状態から解除するバルブ作動力が作用していない場合には、バルブスライダがその閉鎖位置に留まることを保証するものでなければならない。差力が僅かであることにより、タペットの作動が容易になる。
【００１９】
バルブスライダは、シリンダから軸線方向に突出する作動ロッドにより、閉鎖位置から開放位置に変位するように負荷することができる。
【００２０】
この場合、バルブスライダは、アクチュエータ又は手動により、閉鎖位置から開放位置に変位するように間接的又は直接的に変位させることができる。
【００２１】
ばね要素を、間隔を置いた状態でバルブスライダ又は作動ロッドを包囲する圧縮コイルばねとすれば必要なスペースは僅かである。この圧縮コイルばねの一端は、シリンダに堅固に結合された部材に支持され、他端は、バルブスライダ又は作動ロッドを負荷することができる。
【００２２】
圧縮コイルばねを使用して必要なスペースを僅かとすれば、ピストン・シリンダユニット全体の小型化も図ることができる。
【００２３】
このような圧縮コイルばねは、構成が単純で安価な部品である。
【００２４】
シリンダの長手方向軸線に直交するように手又はアクチュエータを使用して作動を可能にするために、シリンダから突出するバルブスライダ又は作動ロッドの端面は、シリンダの長手方向軸線に直交する旋回軸線周りに旋回可能かつシリンダに堅固に結合されると共に、ばね要素により負荷された２アーム状の旋回レバーの第１アームにより負荷可能である。旋回レバーの第２アームは、バルブ作動力で負荷可能である。
【００２５】
この場合のばね要素は、シリンダに結合された部材に支持された引張りばねとすることができ、簡略化された実施形態においては、レバーアームの第２アーム及びシリンダに結合された部材を包囲するコイルばねとすることができる。
【００２６】
バルブは、シートバルブ又はスライドバルブとすることができる。
【００２７】
一実施形態において、バルブは、シリンダを端部領域で閉鎖するバルブ装置に配置される。
【００２８】
本発明のピストン・シリンダユニットは、スライド式コラムとして、例えば座面やテーブルプレートを高さ調節するための椅子やテーブルの脚部として有利に使用することができる。
【００２９】
他の実施形態において、バルブは、ピストン内に配置することができる。
【００３０】
このような構成は、大きな自重を有するキャップやリッドの固定を目的とする場合だけでなく、異なる位置での保持を目的とする場合にも有利に適用可能である。
【００３１】
以下、本発明を図面に記載した実施形態に基づいて詳述する。
【図面の簡単な説明】
【００３２】
【図１】本発明の第１実施形態を示す縦断面図である。
【図２】図１の縦断面の一部を示す拡大図である。
【図３】本発明の第２実施形態を示す縦断面図である。
【図４】同じく第３実施形態を示す縦断面図である。
【図５】同じく第４実施形態における端部領域を示す縦断面図である。
【図６】同じく第５実施形態を示す縦断面図である。
【図７】同じく第６実施形態を示す縦断面図である。
【発明を実施するための形態】
【００３３】
図１〜図３に示す固定可能なピストン・シリンダユニットはシリンダ１を備え、このシリンダ１内で、ピストン2，2’が軸線方向に変位可能にガイドされている。充填されたガスで加圧されたシリンダ１の内部は、ピストン2，2’により、第１作動室3，3’及び第２作動室4，4’に分割されている。
【００３４】
ピストン2，2’の一方には、ピストンロッド5，5’が堅固に配置されている。このピストンロッド5，5’は、ガイド・シールユニット６によりシールされた状態で、図１の実施形態では第２作動室４に亘って、また図３の実施形態では第２作動室4’に亘って外方に向けてガイドされている。
【００３５】
図１及び図２では、ピストン２内に固定バルブ８が配置され、また図３では、ピストンロッドとは反対側の端部でシリンダ１を閉鎖するバルブ装置７内に固定バルブ８が配置されている。固定バルブ８は、ピストン２内又はバルブ装置８内に同軸状に設けられた通過開口９で、変位可能に配置された円筒状のバルブスライダ10を含む。
【００３６】
バルブスライダ10の中央領域11は小径とされているのに対して、２つの外側領域12，12’は、通過開口９に対応して大径とされている。
【００３７】
外側領域12は、第１シールリング18に包囲されている。この第１シールリング18により、バルブスライダ10の小径領域11における通過開口９が作動ロッド13に対してシールされている。このシール状態は、バルブスライダ10の軸線方向位置に関わらず維持される。
【００３８】
外側領域12’は、第２シールリング19に包囲されている。この第２シールリングにより、図示の閉鎖位置で、バルブスライダ10の小径領域11における通過開口９が第１作動室3，3’に対してシールされている。
【００３９】
バルブスライダ10は、第１作動室3，3’側の端部において、この第１作動室3，3’内の圧力により恒久的に負荷されている。
【００４０】
第１作動室3，3’とは反対側のバルブスライダ10の端面には、このスライダ10に対して同軸状に変位可能にガイドされた作動ロッド13が配置されている。作動ロッド13の一端は、バルブスライダ10に当接し、他端は、旋回軸線15に対して間隔を置いた状態で、この旋回軸線15周りに旋回可能な旋回レバー14に当接して支持されている。
【００４１】
図１及び図２の実施形態の作動ロッド13は、ピストンロッド５内における同軸状の通過孔24で変位可能にガイドされ、図３の実施形態においては、バルブ装置７に配置されたガイド要素25内における同軸状の通過孔24で変位可能にガイドされている。
【００４２】
図示の非作動位置では、旋回レバー14がストッパ16に当接している。
【００４３】
旋回軸線15とは反対側の旋回レバー14の端部領域には、ボーデンケーブル17の芯が係合している。この芯には、手動又はモータで引張負荷を加えることができるため、旋回レバー14がストッパ16から旋回状に取り外し可能である。これにより、バルブスライダ10も調整ストローク20に亘って変位する。この調整ストローク20の終端においては、バルブスライダ10の小径領域11が開放位置、即ち第２シールリング19に包囲される位置にあるため、第１作動室3，3’のガスが小径領域11により第２シールリング19に環流することができる。これがバルブスライダ10の開放位置である。
【００４４】
この開放位置では、小径領域11も、ピストン２又はバルブ装置７内の半径方向に形成され、かつ通過開口に達する接続開口21に包囲されている。
【００４５】
図１及び図２の実施形態において、接続開口21は、第２作動室４に直接に通じている。
【００４６】
図３の実施形態において、接続開口21は、シリンダ１及びこのシリンダ１を間隔を置いた状態で包囲する外側シリンダ23の間に形成され、かつ外部に対して閉鎖された環状ギャップ22に通じている。この環状ギャップ22は、バルブ装置７とは反対側の端部において作動室４’に連通している。
【００４７】
上記旋回レバー14の旋回運動により、作動ロッド13が固定バルブ８に向けて変位すると共に、バルブスライダ10も第１作動室3，3’内に向けて更に変位する。
【００４８】
即ち、バルブスライダ10が開放位置にあれば、上記何れの実施形態においても、第１作動室3，3’が第２作動室4，4’と連通する。
【００４９】
ピストン・シリンダユニットの組み立てに際しては、固定バルブ８の組み込み及び加圧ガスによるシリンダ１の充填後に、作動ロッド13が通過孔24内に差し込まれる。
【００５０】
次いで、旋回レバー14の配置が行われる。この場合、作動ロッド13の長さに起因して、作動ロッド13をある程度の距離に亘って開放方向に変位させる必要がある。これにより旋回レバー14がストッパ16に当接する取り付け位置に配置可能である。その際に、バルブスライダ10も、作動室3，3’内の圧力に抗しつつ上記距離に亘って開放方向に変位させる。ただしこの場合にバルブスライダ10を変位させる距離は、大径領域12’が第２シールリング19によって依然として包囲され、従って通過開口９の閉鎖状態が維持されるものとする。これがバルブスライダ10の閉鎖位置である。この位置におけるバルブスライダ10は、第１作動室3，3’内の圧力により依然として負荷され続けることで作動ロッド13に対して負荷され、これにより旋回レバー14が作動ロッド13によってストッパ16に当接するように押圧される。そのため、製造公差に関わらず、バルブスライダ10及びストッパ16間で遊びが生じることがなく、従って衝突音が生じることもない。
【００５１】
本発明によれば、上記の効果を得られるにも関わらず、従来技術と比べて付加的な部品を設ける必要はなく、シリンダ１内に充填される圧力を利用するにすぎない。
【００５２】
図４〜図７に示す固定可能なピストン・シリンダユニットは外側シリンダ23を備え、この外側シリンダ23の内側にはシリンダ１が同軸状に配置されている。外側シリンダ23及びシリンダ１の間には、異なる直径により、流動路として機能する環状ギャップ22が形成されている。
【００５３】
シリンダ１内には、軸線方向に変位可能なピストン2’が配置されている。このピストン2’により、シリンダ１が第１作動室3’及び第２作動室4’に分割されている。
【００５４】
ピストンロッド5’は、その一端がピストン2’に結合され、かつガイド・シールユニット６によりシールされた状態で、第２作動室4’に亘って外方に向けてガイドされている。
【００５５】
この第２作動室4’は、ガイド・シールユニット６近傍におけるシリンダ１の端部領域にて、半径方向開口26を介して環状ギャップ22と連通している。
【００５６】
ガイド・シールユニット６とは反対側のシリンダ１の端部には、バルブ装置７が組み込まれている。シリンダ１から突出する側のバルブ装置７の端部は、シールされた状態で外側シリンダ23の内壁に当接している。
【００５７】
バルブ装置７と、外側シリンダ23の上端との間には、スペーサ27が配置されている。バルブ装置７に対して遠位側に位置するスペーサ27の端部は、外側シリンダの上端に設けられたビードによって包囲されている。
【００５８】
スペーサ27内には、ステップ状かつ同軸状のガイド孔29が形成され、その大ステップ28がバルブ装置27に向けられている。
【００５９】
ガイド孔29の小ステップ30では、作動ロッド13が変位可能にガイドされている。この作動ロッド13の一端はガイド孔29から外方に向けて突出し、軸線方向内方へのバルブ作動力で負荷可能である。
【００６０】
作動ロッド13には、ロックワッシャ31が配置されている（図４参照）。このロックワッシャ31により、製造上有利かつ信頼性の高い組み立てが容易になる。
【００６１】
代案として、作動ロッド13には、同様の機能を有し、かつ半径方向に突出する鼻状部32を設けてもよい（図５参照）。
【００６２】
作動ロッド13は、バルブ装置７に向けられた端部において、固定バルブ８の閉鎖部材として機能するバルブスライダ10に当接している。
【００６３】
このバルブスライダ10は、軸線方向に亘って第１作動室3’に達するバルブ装置７の通過開口９に変位可能に配置されると共に、第１作動室3’に向けられた端部にフランジ状の拡張部33を有する。この拡張部33は、突出方向において、バルブ装置７に配置された弁座として機能する第２シールリング19に当接可能である。
【００６４】
バルブスライダ10は、バルブ装置７内に小径領域11を有する。この場合、通過開口９は、バルブ装置７内における半径方向への接続開口21を介して、バルブスライダ10の小径領域11にて環状ギャップ22と連通している。
【００６５】
図６の実施形態では、外側シリンダ23から突出するスペーサ27領域において、２アーム状の旋回レバー14がシリンダ１の長手方向軸線34に直交する旋回軸線15周りに旋回可能に取り付けられている。
【００６６】
この２アーム状の旋回レバー14の第１アーム35は、作動ロッド13の外端面に当接しているのに対して、第２アーム36は、長手方向軸線34にほぼ平行に延在すると共に、その自由端に連結部37を有する。この連結部37には、バルブ作動力が長手方向軸線34に直交するように負荷可能である。
【００６７】
第２アーム36及び長手方向軸線34に平行に延在するスペーサ27の部分38に付勢かつ巻回されたコイルばね39により、第１アーム35は、一定の付勢力で作動ロッド13に当接している。これにより、作動ロッド13を介して、バルブスライダ10が第２シールリング19からフランジ状の拡張部33の浮揚方向に向けて負荷可能である。
【００６８】
図４及び図５の実施形態では、ガイド孔29の大ステップ28領域において、付勢された圧縮コイルばね40によって作動ロッド13が包囲されている。圧縮コイルばね40の一端は、ガイド孔29の大ステップ28及び小ステップ30間の肩部に、他端は、作動ロッド13におけるフランジ状の拡張部41に支持され、作動ロッド13を介して、バルブスライダ10が、バルブを開放することなく、第２シールリング19からフランジ状の拡張部33の浮揚方向に向けて負荷可能である。
【００６９】
作動室3’，4’は、何れも加圧ガスで充填されている。
【００７０】
この場合に第１作動室3’のガス圧は、バルブスライダ10におけるフランジ状の拡張部33にも作用し、この拡張部33が第２シールリング19に対して押圧される。
【００７１】
これにより、第１作動室3’から通過開口９及び半径方向孔21、並びに環状ギャップ22及び半径方向開口26を介して、第２作動室4’へのガスの環流が生じることがない。
【００７２】
作動ロッド13をバルブ開放方向に負荷するコイルばね39（図６参照）又は圧縮コイルばね40（図７参照）による力は、バルブスライダ10をバルブ閉鎖方向に負荷する第１作動室3’内のガス圧による力に比べて小さい。
【００７３】
これにより、フランジ状の拡張部33が第２シールリング19に当接し、従ってバルブの通過開口９が閉鎖状態で維持される。
【００７４】
作動ロッド13を付加的なバルブ作動力で負荷した場合、この作動力と、コイルばね39又は圧縮コイルばね40で作動ロッド13に負荷する力の総和は、バルブスライダ10を閉鎖方向に負荷する力に比べてより大きくなり、従ってバルブスライダ10が変位してバルブの通過開口９が開放される。
【００７５】
これにより、ピストン２がシリンダ１内で変位可能であり、このピストン２と共にピストンロッド５が変位可能である。
【００７６】
バルブ作動力による負荷が行われなくなるとバルブの通過開口９が再び閉鎖され、ピストン２が変位した位置に固定される。
【００７７】
図７の実施形態は、図４〜図６の実施形態と近似する構成を有すると共に、同一要素には同一参照符号が付してある。
【００７８】
図７の実施形態では、図４〜図６の実施形態とは異なり、固定バルブ８がバルブ装置７内ではなく、ピストン２内に配置されている。
【００７９】
バルブの通過開口９が開放状態にある場合、この通過開口９及び半径方向への接続開口21を介して、第１作動室3’が第２作動室4’と連通する。
【００８０】
また作動ロッド13は、ピストンロッド５内のガイド孔29によりガイドされている。
【符号の説明】
【００８１】
１     シリンダ
２     ピストン
2’    ピストン
３     第１作動室
3’    第１作動室
４     第２作動室
4’    第２作動室
５     ピストンロッド
5’    ピストンロッド
６     ガイド・シールユニット
７     バルブ装置
８     固定バルブ
９     通過開口
10     バルブスライダ
11     小径領域
12     大径領域
12’   大径領域
13     作動ロッド
14     旋回レバー
15     旋回軸線
16     ストッパ
17     ボーデンケーブル
18     第１シールリング
19     第２シールリング
20     調整ストローク
21     接続開口
22     環状ギャップ
23     外側シリンダ
24     通過孔
25     ガイド要素
26     半径方向開口
27     スペーサ
28     大ステップ
29     ガイド孔
30     小ステップ
31     ロックワッシャ
32     鼻状部
33     フランジ状の拡張部
34     長手方向軸線
35     第１アーム
36     第２アーム
37     連結部
38     部分
39     コイルばね
40     圧縮コイルばね
41     フランジ状の拡張部
【図１】
2016508584.tif 000003
【図２】
2016508584.tif 000004
【図３】
2016508584.tif 000005
【図４】
2016508584.tif 000006
【図５】
2016508584.tif 000007
【図６】
2016508584.tif 000008
【図７】
2016508584.tif 000009
【国際調査報告】
2016508584.tif 000010
2016508584.tif 000011
2016508584.tif 000012
2016508584.tif 000013
2016508584.tif 000014
2016508584.tif 000015
2016508584.tif 000016
2016508584.tif 000017
2016508584.tif 000018
2016508584.tif 000019
2016508584.tif 000020